(57)【要約】      （修正有）【課題】置き時計や掛け時計に於いて、時計ユニットをネジ止め等の固定手段を使う事無く、回転させるだけで縦横に自在に時計フレームに係止固定可能にして、横置き表示時計、縦置き表示時計にする事を可能にする。【解決手段】時計ユニットの表示針軸の周縁に円筒状枠を設け、時計フレームにはこれに嵌入する穴を穿ち、両者を回転自在に密着させ、脱落しないよう密着接合用の接合鍔をこの円筒状枠に接合する。時計フレームと時計ユニットを回転自在に接合して、両者を９０°単位で係止・一時固定合する事が出来る様に、時計ユニットと時計フレームとに係止・一時固定手段を設ける。【選択図】図１
2019120624.tif 000002
【特許請求の範囲】
【請求項１】
時計ユニットの表示針軸穴周縁に設けた円筒状嵌入枠を、時計フレームに穿った前記円筒状嵌入枠に合致する嵌合穴とを嵌入させ、密着接合鍔を前記円筒状嵌入枠に接着して両者を回転自在に密着させ、且つ、前記円筒状嵌入枠の同心円周に設けた係止用突起又は係止用穴と、前記時計フレームに設けた係止用穴、又は係止突起とを嵌合させて、前記時計ユニットが前記時計フレームに縦表示位置または横表示位置に任意係止固定する事を可能にする時計ユニットの係止方式。
【請求項２】
時計ユニットの表示針軸穴周縁に設けた、先端部が後記接合穴よりやや細く根本部がやや太い円筒嵌入枠と、時計フレームに穿った前記円筒状突起に合致する嵌合穴に押し込んで、両者を回転自在に密着させ、且つ、前記円筒状嵌入枠の同心円周に設けた係止用突起又は係止用穴と、前後時計フレームに設けた縦用及び横用の係止用穴又は係止用突起とが嵌合する事により、前記時計ユニットが前記時計フレームの縦表示位置または横表示位置に任意係止固定する事を可能にする時計ユニットの係止方式。
【請求項３】
円筒嵌入枠に軸方向に適宜切れ込みを入れ、撓みを持たせた事を特徴とする請求項２記載の時計ユニットの係止方式。
【請求項４】
時計ユニットに取付した表示針の外端周を覆う円環状枠を、時計フレームに穿った前記円環状枠に合致する嵌入穴に嵌入して両者を回転自在に密着させ、前記円環状枠の外縁面と前記嵌入穴との間にバネによる係止手段を設ける事により、前記時計ユニットが前記時計フレームの縦表示位置または横表示位置に任意係止固定する事を可能にする時計ユニットの係止方式。  
【発明の詳細な説明】
【技術分野】
【０００１】
本発明は横置きにも、縦置きにも対応可能な時計であって、時計ユニットを時計フレームに取付する方式に関するもので、表示針を縦向き表示にも横向き表示にも出来る様にするためのものである。
【背景技術】
【０００２】
一般的な置き時計は、正方形が殆どで方向性は無い。これに対して、特許文献に示す様な、写真や絵の様な標示物を文字盤として差し替え表示する様な時計（以下表示差し替え時計と称す）が提案されている。
【０００３】
例えば特許文献２示す様な磁気誘動式の表示差し替え時計に於いて、図１に示す様な縦向き表示物のものでは長手方向が１２時になるが、横向き表示物のものでは、短手方向が１２時になる。縦向き表示物にも横向き表示物にも正しく時刻表示するには、表示針を９０°回転可能にして係止固定する事が必要となる。
【０００４】
このため従来に於いては図２に示す様に、時計フレームと時計ユニットとを、縦向き表示物では縦表示位置に、横向き表示物では縦表示位置に、固定ネジを使って固定する必要があった。
【先行技術文献】
【特許文献】
【０００５】
【特許文献１】実願平６−７７２４
【特許文献２】特願２０００−３５１９６７
【発明の概要】
【発明が解決しようとする課題】
【０００６】
本発明は、主に表示差し替え時計に於いて、縦・横両表示物に応じて、ネジ等の固定手段を用いずに、表示針を縦表示にも横表示にも対応可能にするものであって、時計ユニットを手で回転させて、縦向き表示位置または横向き表示位置に自在に、係止・固定するのもである。  
【課題を解決するための手段】
【０００７】
時計ユニットの表示針軸の周縁に円筒状枠を設け、時計フレームにはこれに嵌入する穴を穿ち、両者を回転自在に密着させ、脱落しないよう密着接合用の接合鍔をこの円筒状枠に接合する。
これにより、時計ユニットは回転自在に密着接合するが、更にこれを９０°単位で係止・固定する事が出来るように、時計ユニットと時計フレームとに突起とこれに嵌合する突起係止穴を設け、縦表示位置と横表示位置で、何度でも係止・一時固定させる事が可能なようにする。
【０００８】
又、接合鍔を使わず、両者を回転自在に密着接合させるために円筒状枠をテーパー状にして受け穴に嵌合させ、材質の弾性を利用して密着接合させてもよい。
【０００９】
また、請求項４に示す様に、時計ユニットに予め表示針を取り付けし、この表示針の周縁に設けた円環状枠の外縁周面と時計フレームに穿ったこれに合致する受け穴との間に係止手段を設けてもよい。
【発明の効果】
【００１０】
従来の様に固定ネジを締めたり緩めたりする事無く、軽く手で回すだけで時計フレームに時計ユニットを係止固定する事が出来るので、横向き表示物にも対応可能な、表示差し替え時計を簡単に構成する事が可能になる。また、突起と嵌合穴が嵌合する際、いわゆる「カチッ」としたクリック感を伴って係止・固定する事が出来る。
【図面の簡単な説明】
【００１１】
【図１】表示物により時刻表示の方向性を変える必要性を示す図
【図２】時計ユニットの取付を固定用ネジで固定する従来の方式
【図３】時計ユニットと時計フレームとを密着させる前の斜視図と側面図
【図４】時計ユニットと時計フレームとを縦標示用に密着接合した斜視図と側面図
【図５】時計ユニットと時計フレームとを密着し接合鍔で接着した斜視図と側面図
【図６】時計ユニットと時計フレームとを密着接合して表示針を取り付けた図
【図７】横表示用から時計ユニットを回転させてから縦表示用する遷移図
【図８】筒状嵌合枠がテーパー状である事を示す斜視図と側面図
【図９】円環状嵌入枠の外縁周面と受け穴に係止手段を有する斜視図
【発明を実施するための形態】
【００１２】
以下、磁気誘動式表示針の表示差し替え時計に於いて、係止鍔で密着接合する実施例で説明する。
図３Ａ、Ｂは時計ユニット１００と時計フレーム２００が密着してない状態の図であり、時計ユニット１００の表示針軸１２０の外周縁には円筒状の円筒嵌合枠１６０と係止突起１４０を有し、時計フレーム２００には前記円筒嵌合枠１６０に嵌合するための円筒枠嵌合受け穴と、前記係止突起１４０に嵌合する縦係止穴２４０及び横係止穴２４５を有する。
【００１３】
時計ユニット１００と時計フレーム２００を回転自在に密着接合するため、図４Ａ、Ｂ示す様に円筒嵌合枠１６０と嵌合受け穴２６０を合致させ、且つ係止突起１４０と横係止穴２４０に合致させて密着させる。そして図５Ａ，Ｂに示す様に係止鍔３００を円筒嵌合枠１６０に接着剤等で接着する事により、時計ユニット１００と時計フレーム２００は横向表示用に密着接合する。
【００１４】
係止突起１４０は図４に示す様に、先端部が面取りされていて、時計ユニット２００を回転させた際には、この係止突起１４０と横係止穴２４０又は縦係止穴２４５への係止が外れ、且つ再係止を行う事が可能となるのであり、これにより、時計ユニット１００と時計フレーム２００は密着したまま回転可能となり、係止突起１４０と横係止穴２４０または縦係止穴２４５が合致嵌合した際には、係止鍔３００と時計ユニット２００のそれぞれが有する素材の柔軟性によりクリック感を伴って係止可能となる。そしてこれに図６示す様に誘動用磁石４０５を具備した表示針４００を取付する。
【００１５】
図７を使い、時計ユニット１００を回転させる事により正しい時刻表示がなされる経緯を、表示差し替え時計に於いて説明すると、横向表示の際には表示針４００は３時５５分を示しているが、これを縦向表示用にするために、横向表示物Ｈを取り出し、縦向表示物Ｖて時計フレーム２００を９０°回転させて縦向きにするのであるが、時計ユニット２００も一緒に回って縦向きになるため表示針４００の時刻表示が７時１５分となってしまうので、時計ユニット１００を手で回して、係止突起１４０を横係止穴２４０の係止から脱して、縦合係止穴２４５に合致嵌合させる事により、縦向表示用に於いても正しく４時５５分の時刻表示にする事が出来るのである
【００１６】
図８は円筒嵌合枠１６０の先端部１６１が、時計フレームの嵌合受け穴２６０よりもやや小さく、根本部１６２がやや大きなテーパー状である事が特徴であり、この周面の軸方向に一部切り欠き１６８を有し嵌合溝１６５を有する事により、この形状により発揮される撓み効果により、嵌合溝１６５と嵌合受け穴２６０が図８Ｂに示す様に嵌り込む事により、押込むだけで両者が回転自在に密着嵌合するので、係止鍔３００は不要となる。
【００１７】
図９は予め表示針４００を装着した時計ユニット１００を、時計フレーム２００に密着接合して嵌合係止する例であるが、このようにした際には、円環状嵌入枠６００の直径を大きくする事が出来るので、この円環状嵌入枠６００の外縁周面６５０の円環枠嵌入溝６５５に、図９に示す様なバネによる係止固定手段７００を設け、これによる係止・一時固定でも同様の効果が得られる。
【符号の説明】
【００１８】
１００    時計ユニット
１２０    表示針軸
１４０    係止突起
１６０    円筒嵌入枠
１６５    嵌合溝
１６８    切れ込み
２００    時計フレーム
２４０    横置き表示用係止穴
２４５    縦置き表示用係止穴
２６０    円筒枠嵌入受け穴
３００    密着接合鍔
４００    磁気誘動針
４０５    誘動用磁石
５００    被誘動表示針
５０５    被誘動用磁石
６００    円環状嵌入枠
６５０    円環状嵌入枠の外縁周面
６５５    円環枠嵌入溝
７００    バネによる係止手段
７５０    トーションバネ
Ｈ        横向き表示物
Ｖ        縦向き表示物
【図１】
2019120624.tif 000003
【図２】
2019120624.tif 000004
【図３】
2019120624.tif 000005
【図４】
2019120624.tif 000006
【図５】
2019120624.tif 000007
【図６】
2019120624.tif 000008
【図７】
2019120624.tif 000009
【図８】
2019120624.tif 000010
【図９】
2019120624.tif 000011